【手続補正書】
【提出日】令和1年8月9日(2019.8.9)
【手続補正１】
【補正対象書類名】明細書
【補正対象項目名】０１２０
【補正方法】変更
【補正の内容】
【０１２０】
図中の要素の説明は、別途指示がない限り、他の図中の対応する要素に等しく適用されるものと理解されたい。具体的な実施形態を本明細書において例示し記述したが、様々な代替及び／又は等価な実施により、図示及び記載した具体的な実施形態を、本開示の範囲を逸脱することなく置き換え可能であることが、当業者により理解されるであろう。本出願は、本明細書において論じた具体的な実施形態のいかなる適合例又は変形例であっても包含することを意図する。したがって、本開示は、特許請求の範囲及びその等価物によってのみ限定されるものとする。
本開示の実施態様の一部を以下の［項目１］−［項目２０］に記載する。
［項目１］
少なくとも２つの異なる二塩基酸残基であって、前記少なくとも２つの二塩基酸残基の総モルを基準として、
２０〜８０モルパーセントの少なくとも１つの芳香族ジカルボン酸の残基、及び
２０〜８０モルパーセントの、アジピン酸又はセバシン酸の残基のうちの少なくとも１つを含む、少なくとも２つの異なる二塩基酸残基と、
少なくとも３つの異なるジオール残基であって、前記少なくとも３つの異なるジオール残基の総モルを基準として、
少なくとも５モルパーセントの第１のジオール残基、
少なくとも５モルパーセントの異なる第２のジオール残基、及び
０．１〜１０モルパーセントのトリメチロールプロパンモノアリルエーテルの残基を含み、前記第１及び第２のジオール残基のそれぞれが、エチレングリコール、１，６−ヘキサンジオール、１，４−ブタンジオール、ネオペンチルグリコール、又は１，４−シクロヘキサンジメタノールの残基である、少なくとも３つの異なるジオール残基と、を含む、ポリエステル。
［項目２］
前記少なくとも１つの芳香族ジカルボン酸の残基が、イソフタル酸、フタル酸、テレフタル酸、ビ安息香酸、及びナフタル酸のうちの少なくとも１つの残基を含む、項目１に記載のポリエステル。
［項目３］
前記少なくとも３つの異なるジオール残基が、前記少なくとも３つの異なるジオール残基の総モルを基準として、０．５〜５モルパーセントのトリメチロールプロパンモノアリルエーテルの残基を含む、項目１に記載のポリエステル。
［項目４］
少なくとも２つの異なる二塩基酸残基であって、前記少なくとも２つの二塩基酸残基の総モルを基準として、
２０〜８０モルパーセントの少なくとも１つの芳香族ジカルボン酸の残基、及び
２０〜８０モルパーセントの、アジピン酸又はセバシン酸の残基のうちの少なくとも１つを含む、少なくとも２つの異なる二塩基酸残基と、
少なくとも２つの異なるジオール残基であって、前記少なくとも２つの異なるジオール残基の総モルを基準として、
少なくとも５モルパーセントの第１のジオール残基、及び
少なくとも５モルパーセントの異なる第２のジオール残基を含む、少なくとも２つの異なるジオール残基と、を含むポリエステルであって、
前記第１及び第２のジオール残基のそれぞれが、エチレングリコール、１，６−ヘキサンジオール、１，４−ブタンジオール、ネオペンチルグリコール、又は１，４−シクロヘキサンジメタノールの残基であり、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
［項目５］
前記少なくとも２つの異なるジオール残基が、前記少なくとも２つの異なるジオール残基の総モルを基準として、０．１〜１０パーセントのトリメチロールプロパンモノアリルエーテルの残基を更に含む、項目４に記載のポリエステル。
［項目６］
前記少なくとも２つの異なるジオール残基が、前記少なくとも２つの異なるジオール残基の総モルを基準として、０．５〜５パーセントのトリメチロールプロパンモノアリルエーテルの残基を更に含む、項目４に記載のポリエステル。
［項目７］
少なくとも２つの異なる二塩基酸残基であって、前記少なくとも２つの二塩基酸残基の総モルを基準として、
２０〜８０モルパーセントの少なくとも１つの芳香族ジカルボン酸の残基を含む、少なくとも２つの異なる二塩基酸残基と、
少なくとも２つの異なるジオール残基であって、前記少なくとも２つの異なるジオール残基の総モルを基準として、
アルケニル基を含有するペンダント基を含む、０．１〜１０モルパーセントのジオール残基を含む、少なくとも２つの異なるジオール残基と、を含むポリエステルであって、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
［項目８］
前記少なくとも２つの異なるジオール残基が、前記少なくとも２つの異なるジオール残基の総モルを基準として、前記アルケニル基を含有する前記ペンダント基を含む、０．５〜５モルパーセントの前記ジオール残基を含む、項目７に記載のポリエステル。
［項目９］
少なくとも２つの異なる二塩基酸残基であって、前記少なくとも２つの異なる二塩基酸残基の総モルを基準として、
２０〜８０モルパーセントの少なくとも１つの芳香族ジカルボン酸の残基を含む、少なくとも２つの異なる二塩基酸残基と、
少なくとも２つの異なるジオール残基と、を含むポリエステルであって、
前記ポリエステルが、アルケニル基を含有する少なくとも１つのペンダント基を含み、前記ポリエステル中の、前記少なくとも１つのペンダント基の総数の、エステル基の総数に対する比が、０．００１〜０．１の範囲であり、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
［項目１０］
前記２つの異なるジオール残基のうちの少なくとも１つが、前記アルケニル基を含有する前記少なくとも１つのペンダント基を含む、項目９に記載のポリエステル。
［項目１１］
前記２つの異なる二塩基酸残基のうちの少なくとも１つが、前記アルケニル基を含有する前記少なくとも１つのペンダント基を含む、項目９に記載のポリエステル。
［項目１２］
前記少なくとも２つの異なるジオール残基が、前記少なくとも２つの異なるジオール残基の総モルを基準として、０．１〜１０モルパーセントのトリメチロールプロパンモノアリルエーテルの残基を含む、項目９に記載のポリエステル。
［項目１３］
前記少なくとも２つの異なるジオール残基が、前記少なくとも２つの異なるジオール残基の総モルを基準として、０．５〜５モルパーセントのトリメチロールプロパンモノアリルエーテルの残基を含む、項目９に記載のポリエステル。
［項目１４］
前記アルケニル基がアリル基である、項目９に記載のポリエステル。
［項目１５］
前記アルケニル基がアリルオキシ基である、項目１４に記載のポリエステル。
［項目１６］
項目１〜１５のいずれか一項に記載のポリエステルと、１〜６０重量パーセントの粘着付与剤と、を含む、感圧接着剤組成物。
［項目１７］
基材と、前記基材上に配置された項目１〜１５のいずれか一項に記載のポリエステルと、を含む、テープ。
［項目１８］
項目１〜１５のいずれか一項に記載のポリエステルを少なくとも部分的に硬化させることにより調製可能な、架橋ポリエステル。
［項目１９］
項目１８に記載の架橋ポリエステルと、１〜６０重量パーセントの粘着付与剤と、を含む、感圧接着剤組成物。
［項目２０］
基材と、前記基材上に配置された項目１８に記載の架橋ポリエステルと、を含む、テープ。
【手続補正２】
【補正対象書類名】特許請求の範囲
【補正対象項目名】全文
【補正方法】変更
【補正の内容】
【特許請求の範囲】
【請求項１】
少なくとも２つの異なる二塩基酸残基であって、前記少なくとも２つの二塩基酸残基の総モルを基準として、
２０〜８０モルパーセントの少なくとも１つの芳香族ジカルボン酸の残基、及び
２０〜８０モルパーセントの、アジピン酸又はセバシン酸の残基のうちの少なくとも１つを含む、少なくとも２つの異なる二塩基酸残基と、
少なくとも３つの異なるジオール残基であって、前記少なくとも３つの異なるジオール残基の総モルを基準として、
少なくとも５モルパーセントの第１のジオール残基、
少なくとも５モルパーセントの異なる第２のジオール残基、及び
０．１〜１０モルパーセントのトリメチロールプロパンモノアリルエーテルの残基を含み、前記第１及び第２のジオール残基のそれぞれが、エチレングリコール、１，６−ヘキサンジオール、１，４−ブタンジオール、ネオペンチルグリコール、又は１，４−シクロヘキサンジメタノールの残基である、少なくとも３つの異なるジオール残基と、を含む、ポリエステル。
【請求項２】
前記少なくとも１つの芳香族ジカルボン酸の残基が、イソフタル酸、フタル酸、テレフタル酸、ビ安息香酸、及びナフタル酸のうちの少なくとも１つの残基を含む、請求項１に記載のポリエステル。
【請求項３】
前記少なくとも３つの異なるジオール残基が、前記少なくとも３つの異なるジオール残基の総モルを基準として、０．５〜５モルパーセントのトリメチロールプロパンモノアリルエーテルの残基を含む、請求項１に記載のポリエステル。
【請求項４】
少なくとも２つの異なる二塩基酸残基であって、前記少なくとも２つの二塩基酸残基の総モルを基準として、
２０〜８０モルパーセントの少なくとも１つの芳香族ジカルボン酸の残基、及び
２０〜８０モルパーセントの、アジピン酸又はセバシン酸の残基のうちの少なくとも１つを含む、少なくとも２つの異なる二塩基酸残基と、
少なくとも２つの異なるジオール残基であって、前記少なくとも２つの異なるジオール残基の総モルを基準として、
少なくとも５モルパーセントの第１のジオール残基、及び
少なくとも５モルパーセントの異なる第２のジオール残基を含む、少なくとも２つの異なるジオール残基と、を含むポリエステルであって、
前記第１及び第２のジオール残基のそれぞれが、エチレングリコール、１，６−ヘキサンジオール、１，４−ブタンジオール、ネオペンチルグリコール、又は１，４−シクロヘキサンジメタノールの残基であり、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
【請求項５】
前記少なくとも２つの異なるジオール残基が、前記少なくとも２つの異なるジオール残基の総モルを基準として、０．１〜１０モルパーセントのトリメチロールプロパンモノアリルエーテルの残基を更に含む、請求項４に記載のポリエステル。
【請求項６】
前記少なくとも２つの異なるジオール残基が、前記少なくとも２つの異なるジオール残基の総モルを基準として、０．５〜５モルパーセントのトリメチロールプロパンモノアリルエーテルの残基を更に含む、請求項４に記載のポリエステル。
【請求項７】
少なくとも２つの異なる二塩基酸残基であって、前記少なくとも２つの二塩基酸残基の総モルを基準として、
２０〜８０モルパーセントの少なくとも１つの芳香族ジカルボン酸の残基を含む、少なくとも２つの異なる二塩基酸残基と、
少なくとも２つの異なるジオール残基であって、前記少なくとも２つの異なるジオール残基の総モルを基準として、
アルケニル基を含有するペンダント基を含む、０．１〜１０モルパーセントのジオール残基を含む、少なくとも２つの異なるジオール残基と、を含むポリエステルであって、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
【請求項８】
前記少なくとも２つの異なるジオール残基が、前記少なくとも２つの異なるジオール残基の総モルを基準として、前記アルケニル基を含有する前記ペンダント基を含む、０．５〜５モルパーセントの前記ジオール残基を含む、請求項７に記載のポリエステル。
【請求項９】
少なくとも２つの異なる二塩基酸残基であって、前記少なくとも２つの異なる二塩基酸残基の総モルを基準として、
２０〜８０モルパーセントの少なくとも１つの芳香族ジカルボン酸の残基を含む、少なくとも２つの異なる二塩基酸残基と、
少なくとも２つの異なるジオール残基と、を含むポリエステルであって、
前記ポリエステルが、アルケニル基を含有する少なくとも１つのペンダント基を含み、前記ポリエステル中の、前記少なくとも１つのペンダント基の総数の、エステル基の総数に対する比が、０．００１〜０．１の範囲であり、
前記少なくとも１つの芳香族ジカルボン酸の残基が、イソフタル酸、フタル酸、テレフタル酸、ビ安息香酸、及びナフタル酸のうちの少なくとも１つの残基を含み、かつ
前記ポリエステルが感圧接着剤である、ポリエステル。
【請求項１０】
前記２つの異なるジオール残基のうちの少なくとも１つが、前記アルケニル基を含有する前記少なくとも１つのペンダント基を含む、請求項９に記載のポリエステル。
【請求項１１】
前記２つの異なる二塩基酸残基のうちの少なくとも１つが、前記アルケニル基を含有する前記少なくとも１つのペンダント基を含む、請求項９に記載のポリエステル。
【請求項１２】
前記少なくとも２つの異なるジオール残基が、前記少なくとも２つの異なるジオール残基の総モルを基準として、０．１〜１０モルパーセントのトリメチロールプロパンモノアリルエーテルの残基を含む、請求項９に記載のポリエステル。
【請求項１３】
請求項１〜１２のいずれか一項に記載のポリエステルと、１〜６０重量パーセントの粘着付与剤と、を含む、感圧接着剤組成物。
【請求項１４】
請求項１〜１２のいずれか一項に記載のポリエステルを少なくとも部分的に硬化させることにより調製可能な、架橋ポリエステル。